(57)【要約】【課題】  収納物を高所に容易且つ安全に収納でき、しかも家具上のデッドスペースも有効利用できる高所収納装置を提供する。【解決手段】  収納物Ｂの載置台２の両側に上下方向へ伸縮可能な昇降フレーム３の縦フレーム部材３ｃを取り付け、昇降フレーム３の縦フレーム部材３ａの外側に前後方向へ縮退可能な進退フレーム５の横フレーム部材５ａを取り付け、進退フレーム５の横フレーム部材５ｂを家具１２の上面と天井１３との間にジャッキ１１で押付して固定し、収納物Ｂを載置台２で低所から高所に運搬して縮退させた昇降フレーム３と進退フレーム５とともに収納できるようにした。【選択図】図１
2006288602.tif 000002
【特許請求の範囲】
【請求項１】
収納物の載置台の両側それぞれに複数の縦フレーム部材を組み合わせて上下方向へ伸縮可能とした昇降フレームを取り付け、同昇降フレームの最上段の縦フレーム部材の下端の外側それぞれに複数の横フレーム部材を組み合わせて前後方向へ伸縮可能とした進退フレームの最前段の横フレーム部材を取り付け、同進退フレームの最後段の横フレーム部材を家具・押入れの天袋内又は家具と天井の間に固定手段で配設し、載置台に載せた収納物を上下及び前後に縮退した各縦フレーム部材と横フレーム部材とともに家具・押入れの天袋又は家具上の空間に出入れ自在に収納できるようにした、高所収納装置。
【請求項２】
複数の縦フレーム部材同士及び複数の横フレーム部材同士はそれぞれが同じ長さで且つ幅が段階的に異なるように形成し、縦フレーム部材同士及び横フレーム部材同士をそれぞれスライドレールで連結して直線的に展開又は縦フレーム部材同士及び横フレーム部材同士を重ねて１本の長さに収まるように縮退できる構造にした、請求項１記載の高所収納装置。
【請求項３】
固定手段が、進退フレームの最後段の横フレーム部材を天袋の天板と棚板又は家具の上面と天井面に押し付けて固定するジャッキである、請求項１又は２記載の高所収納装置。
【請求項４】
進退フレームの最後段の横フレーム部材の外側に側板を家具の側面と面一となるように取り付け、載置台の前面に前板を載置台収納時において家具の前面と面一となるように取り付け、収納時に収納物の周囲を側板と前板とで囲って家具と一体的になるようにした、請求項１〜３いずれか記載の高所収納装置。
【請求項５】
昇降フレームを電動で伸縮させる駆動手段を設けた、請求項１〜４いずれか記載の高所収納装置。
【発明の詳細な説明】
【技術分野】
【０００１】
本発明は、家具・押入れの天袋や家具上の天井近傍の高所等の狭い空間に収納物の出入れを容易且つ安全に行えるようにする高所収納装置に関する。
【背景技術】
【０００２】
従来、たんす・クローゼット・本棚などの家具や押入れの天袋と呼ばれる高所の収納空間に収納物を出し入れする際は、足台を用いて不安定な姿勢で行っており、危険で労力を伴うものであった。また、家具上の天井近傍の空間は一般に使用されないデッドスペースとなっている。
【０００３】
そこで、家具内の引出しをワイヤロープで引張して引き出すとともに、引き出した引出しを昇降レールに載せて下降させることで、足台を用いることなく低位置で収納物を引出しに入れて高所に安全に収納できるようにした高所収納庫が特許文献１で提案されている。しかし、この技術は昇降レールが家具の扉に備えられて扉に荷重が作用する構造であるから、重量を有する収納物を昇降させることは難しかった。また、この技術は扉のない家具や家具上のデッドスペースの有効利用には応用できないものであった。
【特許文献１】実公平４−４９９５４号公報
【発明の開示】
【発明が解決しようとする課題】
【０００４】
本発明が解決しようとする課題は、従来のこれらの問題点を解消し、重量を有する収納物でも容易且つ安全に出入れでき、しかも家具上のデッドスペースも有効利用できる高所収納装置を提供することにある。
【課題を解決するための手段】
【０００５】
かかる課題を解決した本発明の構成は、
１）  収納物の載置台の両側それぞれに複数の縦フレーム部材を組み合わせて上下方向へ伸縮可能とした昇降フレームを取り付け、同昇降フレームの最上段の縦フレーム部材の下端の外側それぞれに複数の横フレーム部材を組み合わせて前後方向へ伸縮可能とした進退フレームの最前段の横フレーム部材を取り付け、同進退フレームの最後段の横フレーム部材を家具・押入れの天袋内又は家具と天井の間に固定手段で配設し、載置台に載せた収納物を上下及び前後に縮退した各縦フレーム部材と横フレーム部材とともに家具・押入れの天袋又は家具上の空間に出入れ自在に収納できるようにした、高所収納装置
２）  複数の縦フレーム部材同士及び複数の横フレーム部材同士はそれぞれが同じ長さで且つ幅が段階的に異なるように形成し、縦フレーム部材同士及び横フレーム部材同士をそれぞれスライドレールで連結して直線的に展開又は縦フレーム部材同士及び横フレーム部材同士を重ねて１本の長さに収まるように縮退できる構造にした、前記１）記載の高所収納装置
３）  固定手段が、進退フレームの最後段の横フレーム部材を天袋の天板と棚板又は家具の上面と天井面に押し付けて固定するジャッキである、前記１）又は２）記載の高所収納装置
４）  進退フレームの最後段の横フレーム部材の外側に側板を家具の側面と面一となるように取り付け、載置台の前面に前板を載置台収納時において家具の前面と面一となるように取り付け、収納時に収納物の周囲を側板と前板とで囲って家具と一体的になるようにした、前記１）〜３）いずれか記載の高所収納装置
５）  昇降フレームを電動で伸縮させる駆動手段を設けた、前記１）〜４）いずれか記載の高所収納装置
にある。
【発明の効果】
【０００６】
本発明によれば、載置台を前方へ引き出して昇降フレームによって低位置に降ろすことで収納物の出入れを容易且つ安全に行える。しかも、家具の天袋内又は家具の上面と天井面との間に取り付けるから、従来の技術と比較して取り付け強度の弱い扉の有無に関係なく強固に取り付けることができ、重量を有する収納物でも十分に強度を保持した状態で収納できる。また、家具上の天井近傍位置にも容易に取り付けることができ、デッドスペースの有効利用を図ることができる。
【発明を実施するための最良の形態】
【０００７】
本発明では、昇降フレームや進退フレームの伸縮は手動（バネ等の補助を含む）又は電動で行なわれ、ブレーキ機構付きのギヤードモータとスプロケットホイールとチェーンを用いて駆動させる。進退フレームの最後段の横フレーム部材の固定は天袋内や家具上に恒久的に取り付けたり、ジャッキを用いて脱着自在に取り付けてもよい。載置台は収納物を載置できる板状の他、載置台自身が予め容器状に形成されているものを用いてもよい。以下、本発明の各実施例を図面に基づいて具体的に説明する。
【実施例１】
【０００８】
図１〜４に示す実施例１は、家具上のデッドスペースに本発明の高所収納装置を取り付けた例である。図１は実施例１の高所収納装置の斜視図、図２は実施例１の昇降フレームの断面図、図３は実施例１の進退フレームの断面図、図４は実施例１の高所収納装置の使用状態を示す説明図である。
【０００９】
図中、１は高所収納装置、２は載置台、３は昇降フレーム、３ａ〜３ｃは縦フレーム部材、４はスライドレール、４ａはレール部材、４ｂはベアリング、５は進退フレーム、５ａ，５ｂは横フレーム部材、６はスライドレール、６ａはレール部材、６ｂはベアリング、７はギヤードモータ、８は操作スイッチ、９はチェーン、１０はスプロケットホイール、１１はジャッキ、１２は家具、１２ａは天板、１３は天井、Ｂは収納物である。
【００１０】
実施例１の高所収納装置１は、図１〜３に示すように板状の載置台２の両側にそれぞれが同じ長さで幅が３段階に小さくなる３体の縦フレーム部材３ａ〜３ｃを２倍の長さに伸長できる伸縮自在のスライドレール４でそれぞれ連結して昇降フレーム３を構成し、昇降フレーム３の最上段の縦フレーム部材３ａの外側に進退フレーム５の最前段の横フレーム部材５ａを直交方向に固着し、同横フレーム部材５ａをおよそ２倍の長さに伸長できる伸縮自在のスライドレール６の先端に取り付け、同スライドレール６の後端を最後段の横フレーム部材５ｂに取り付け、同横フレーム部材５ｂを家具１２の天板１２ａと天井１３との間にジャッキ１１で押付して固定している。
【００１１】
昇降フレーム３の最上段の縦フレーム部材３ａの片側の外面にはギヤードモータ７を取り付け、対向する縦フレーム部材３ａの内側でスプロケットホイール１０をギヤードモータ７の出力軸に図示しない傘歯車を介して軸支し、同スプロケットホイール１０にチェーン９を掛架し、同チェーン９の一端を昇降フレーム３の最下段の縦フレーム部材３ｃに固定している。ギヤードモータ７の操作スイッチ８は任意の場所に設けられる。
【００１２】
収納について説明すると、図４（ａ）に示すように下降させた載置台２上に収納ボックス等の収納物Ｂを載置し、操作スイッチ８で収納側を押すとギヤードモータ７が作動し、図４（ｂ）に示すようにスプロケットホイール１０がチェーン９を引張するように回転して縦フレーム部材３ａ〜３ｃ同士を段階的に重ね合わせながら載置台２を持ち上げる。昇降フレーム３が縮退し終えると図示しないセンサによりギヤードモータ７が自動的に停止し、図４（ｃ）に示すように載置台２を手で持って後方へ押すことで進退フレーム５が縮退して収納物Ｂが収納される。
【００１３】
取り出す際は収納と逆の手順を行えばよく、載置台２を手で持って手前に引き出した後、操作スイッチ８で取り出し側を押すと、ギヤードモータ７が逆方向に回転して昇降フレーム３が下方に展開しながら伸長して載置台２が低位置まで下降し、収納物Ｂを取り出す。
【実施例２】
【００１４】
図５に示す実施例２は、押入れの天袋に本発明の高所収納装置を取り付けた例である。図５は実施例２の高所収納装置の説明図である。図中、１４は押入れ、１５は天袋、１５ａは棚板、１５ｂは天板、１５ｃは扉である。実施例２の高所収納装置１は、図５に示すように押入れ１４上の天袋１５内にジャッキ１１で棚板１５ａと天板１５ｂとの間に固定し、操作スイッチ８を押入れ１４の側部に取り付けている。その他、符号、構成、使用方法は実施例１と同じである。
【実施例３】
【００１５】
図６に示す実施例３は、収納時に収納物の周囲を側板と前板とで囲って家具と一体的になるようにした高所収納装置の例である。図６は実施例３の高所収納装置の使用状態を示す説明図である。図中、１６は前板、１６ａはハンドル、１７は側板である。
【００１６】
実施例３の高所収納装置１は、図６に示すように横フレーム部材５ｂの外側に側板１７を家具１２の側面と面一となるように取り付け、載置台２の前面にハンドル１６ａを備えた前板１６を収納時において家具１２の前面と面一となるように取り付けている。使用時はハンドル１６ａを握って出入れし、収納時は前板１６と側板１７で収納物Ｂを囲って家具１２と一体的に見えるようにしている。その他、符号、構成、使用方法は実施例１と同じである。
【産業上の利用可能性】
【００１７】
本発明の高所収納装置は、家具（たんす・クローゼット・本棚など），台所，押入れ，物置等の高所の収納空間や天井近傍の一般的に使われていないデッドスペースの有効利用、特に高齢者向けとして有用である。
【図面の簡単な説明】
【００１８】
【図１】実施例１の高所収納装置の斜視図である。
【図２】実施例１の昇降フレームの断面図である。
【図３】実施例１の進退フレームの断面図である。
【図４】実施例１の高所収納装置の使用状態を示す説明図である。
【図５】実施例２の高所収納装置の説明図である。
【図６】実施例３の高所収納装置の使用状態を示す説明図である。
【符号の説明】
【００１９】
１  高所収納装置
２  載置台
３  昇降フレーム
３ａ〜３ｃ  縦フレーム部材
４  スライドレール
４ａ  レール部材
４ｂ  ベアリング
５  進退フレーム
５ａ，５ｂ  横フレーム部材
６  スライドレール
６ａ  レール部材
６ｂ  ベアリング
７  ギヤードモータ
８  操作スイッチ
９  チェーン
１０  スプロケットホイール
１１  ジャッキ
１２  家具
１２ａ  天板
１３  天井
１４  押入れ
１５  天袋
１５ａ  棚板
１５ｂ  天板
１５ｃ  扉
１６  前板
１６ａ  ハンドル
１７  側板
Ｂ  収納物
【図１】
2006288602.tif 000003
【図２】
2006288602.tif 000004
【図３】
2006288602.tif 000005
【図４】
2006288602.tif 000006
【図５】
2006288602.tif 000007
【図６】
2006288602.tif 000008